(57)【要約】      （修正有）【課題】棒状電池がその正極・負極を逆にして収納部に装着された場合でも、正極または負極が電極に接触するのを確実に防止し得る電子機器およびその電池収納構造の提供。【解決手段】棒状電池の正極と電気的に接続可能な正極端子４３と、棒状電池の負極と電気的に接続可能な負極端子とを備え、棒状電池の負極側が正極端子側で棒状電池の正極側が負極端子側となるよう棒状電池が誤って収納部に収納され、また棒状電池の軸心と収納部の軸心とが一致しないよう棒状電池が収納部の軸心に対して倒れた際に、棒状電池の負極と正極端子との接触を阻止する接触阻止手段５２、５３が設けられている電池収納構造およびこれを備えた電子機器。【選択図】図５
2008277070.tif 000002
【特許請求の範囲】
【請求項１】
一端部に正極を有し他端部に負極を有する棒状電池を収納する収納部が設けられた電子機器の電池収納構造であって、
前記棒状電池の正極と電気的に接続可能な正極端子と、棒状電池の負極と電気的に接続可能な負極端子とを備え、棒状電池の負極側が正極端子側で棒状電池の正極側が負極端子側となるよう棒状電池が誤って前記収納部に収納され、また棒状電池の軸心と収納部の軸心とが一致しないよう棒状電池が収納部の軸心に対して倒れた際に、棒状電池の負極と正極端子との接触を阻止するか、または棒状電池の正極と負極端子との接触を阻止する接触阻止手段が設けられていることを特徴とする電池収納構造。
【請求項２】
接触阻止手段は、正極端子よりも棒状電池側にあって棒状電池の平坦面状の負極の外周部の一部に当接する阻止面を有し、該阻止面は負極の外周部の一部に当接する阻止平面と、棒状電池の正極の突起が正極端子に接触するのを許容しつつ前記阻止平面から負極の外周部に沿う方向に廻りこむよう同一平面内で延長された延長平面とから形成されていることを特徴とする請求項１記載の電池収納構造。
【請求項３】
正極端子に棒状電池の突起に対向して接触可能な球面状の隆起部が設けられ、阻止平面および延長平面は前記隆起部の先端よりも棒状電池側に位置付けられていることを特徴とする請求項２記載の電池収納構造。
【請求項４】
隆起部は電極板に一体的に形成されており、延長平面の先端部間は隆起部の電極板に対する外郭に対向して配置された円弧状に形成されていることを特徴とする請求項３記載の電池収納構造。
【請求項５】
収納部が箱状の本体内に形成されており、負極端子は収納部の奥部に配置され、正極端子は本体の一方に形成された開口の端部で本体にスライドして開口を塞ぐよう装着される蓋体に取付けられていることを特徴とする請求項２ないし請求項４の何れかに記載の電池収納構造。
【請求項６】
蓋体は本体の開口の端部のスライド方向の途中から装着されるもので、開口の端部のスライド方向途中からのみ蓋体の装着を許容する装着手段が本体の開口の端部と蓋体とに設けられていることを特徴とする請求項５記載の電池収納構造。
【請求項７】
複数本の棒状電池を同方向となるよう収納部に収納して並列接続で用いられるよう構成された電池収納構造であって、正極端子に、電子機器の負荷に接続されている接点に接続する接触部が蓋体のスライド方向に延長して設けられていることを特徴とする請求項５または請求項６に記載の電池収納構造。
【請求項８】
収納部に、該収納部の軸心方向に直交する方向に設けられて棒状電池をその長さ方向途中の外周面に当接して保持するための保持部が設けられていることを特徴とする請求項１ないし請求項７の何れかに記載の電池収納構造。
【請求項９】
請求項１ないし請求項８の何れかに記載の電池収納構造を備えていることを特徴とする電子機器。
【発明の詳細な説明】
【技術分野】
【０００１】
本発明は、コンピュータ用マウス等の電子機器の電池収納構造に関する。
【背景技術】
【０００２】
従来、アルカリ乾電池のように、一端部に正極を有し他端部に負極を有する棒状電池を収納する収納部を有して、この収納部に棒状電池を収納することで使用することを可能とする電子機器がある（例えば特許文献１参照）。
この電子機器の電池収納構造は、棒状電池の正極に電気的に接続可能な正極端子と、棒状電池の負極に電気的に接続可能な負極端子とを有し、棒状電池がその正極・負極を逆にして収納部に装着された際に棒状電池の負極の位置を制限する突状部が設けられている。
そして、棒状電池がその正極・負極を逆にして収納部に装着された際には、前記突状部によって棒状電池の負極と正極端子とが接続されないようにしている。
【特許文献１】実開平５−６２９５５号公報
【発明の開示】
【発明が解決しようとする課題】
【０００３】
ところで、一般に電池収納構造における収納部は、棒状電池の径よりも大きな径を有して棒状電池の収納をし易くしている。このため、収納部に棒状電池を収納した際に、棒状電池の軸心と収納部の軸心とが一致せず、棒状電池が収納部の軸心に対して倒れた（傾斜した）状態で収納されることが考えられ、このような場合、上記従来の電池収納構造では、棒状電池が倒れた際に、上記突状部では棒状電池の負極の位置が制限しきれず、棒状電池の負極と正極端子とが接触してしまい、両者が電気的に接続されてしまうことが考えられるという課題があった。
【０００４】
そこで本発明は、上記課題に鑑み、棒状電池がその正極・負極を逆にして収納部に装着された場合でも、正極または負極が電極に接触するのを確実に防止し得る電子機器の電池収納構造の提供を目的としている。
【課題を解決するための手段】
【０００５】
本発明は、一端部に正極を有し他端部に負極を有する棒状電池を収納する収納部が設けられた電子機器の電池収納構造であって、前記棒状電池の正極と電気的に接続可能な正極端子と、棒状電池の負極と電気的に接続可能な負極端子とを備え、棒状電池の負極側が正極端子側で棒状電池の正極側が負極端子側となるよう棒状電池が誤って前記収納部に収納され、また棒状電池の軸心と収納部の軸心とが一致しないよう棒状電池が収納部の軸心に対して倒れた際に、棒状電池の負極と正極端子との接触を阻止するか、または棒状電池の正極と負極端子との接触を阻止する接触阻止手段が設けられていることを特徴としている。
【０００６】
上記構成において、棒状電池が誤った方向で収納部に収納され、また棒状電池の軸心と収納部の軸心とが一致しないよう棒状電池が収納部の軸心に対して倒れた際には、接触阻止手段によって、棒状電池の負極と正極端子との接触が阻止されるか、棒状電池の正極と負極端子との接触が阻止される。これにより、棒状電池の発熱や液漏れが防止される。
【０００７】
本発明の電池収納構造では、接触阻止手段は、正極端子よりも棒状電池側にあって棒状電池の平坦面状の負極の外周部の一部に当接する阻止面を有し、該阻止面は負極の外周部の一部に当接する阻止平面と、棒状電池の正極の突起が正極端子に接触するのを許容しつつ前記阻止平面から負極の外周部に沿う方向に廻りこむよう同一平面内で延長された延長平面とから形成されていることを特徴としている。
【０００８】
上記構成において、棒状電池の負極は、阻止平面と面（平面）どうしで当接することで正極端子に接触するのを阻止され、棒状電池が収納部の軸心に対して倒れるのを延長平面によって阻止されるから、棒状端子の負極が正極端子に接触するのが確実に阻止される。
しかも延長平面は阻止平面から負極の外周部に沿う方向に廻りこむよう同一平面内で延長されているから、棒状電池が収納部に正規の方向に装着された場合はその正極である突起が正極端子に接触するのを許容する。
【０００９】
本発明の電池収納構造では、正極端子に棒状電池の突起に対向して接触可能な球面状の隆起部が設けられ、阻止平面および延長平面は前記隆起部の先端よりも棒状電池側に位置付けられていることを特徴としている。
【００１０】
上記構成のように、棒状電池の突起に接触する隆起部が形成されている正極端子であっても、阻止平面および延長平面を隆起部の先端よりも棒状電池側に位置付けていることで、棒状電池の負極が隆起部すなわち正極端子に接触することが阻止される。
【００１１】
本発明の電池収納構造では、隆起部は電極板に一体的に形成されており、延長平面の先端部間は隆起部の電極板に対する外郭に対向して配置された円弧状に形成されていることを特徴としている。
【００１２】
上記構成において、棒状電池の正極である突起は延長平面の先端部間に入って隆起部に確実に接触する。
【００１３】
本発明の電池収納構造では、収納部が箱状の本体内に形成されており、負極端子は収納部の奥部に配置され、正極端子は本体の一方に形成された開口の端部で本体にスライドして開口を塞ぐよう装着される蓋体に取付けられていることを特徴としている。
【００１４】
上記構成において、棒状電池の負極が奥になるようにして棒状電池を収納部に収納し、蓋体を本体の開口の端部に一方向からスライドさせるようにして蓋体を本体に装着すると、棒状電池の正極と接触阻止手段との関係において、正極である突起が一方の延長平面の前方を他方の延長平面側にスライド方向に相対的に移動、すなわち正極が接触阻止手段を回避するようにして正極と正極端子とが接触する。
【００１５】
本発明の電池収納構造では、蓋体は本体の開口の端部のスライド方向の途中から装着されるもので、開口の端部のスライド方向途中からのみ蓋体の装着を許容する装着手段が本体の開口の端部と蓋体とに設けられていることを特徴としている。
【００１６】
上記構成において、蓋体は本体の開口の端部のスライド方向の途中からのみ装着されてスライドすることで開口を塞ぐから、蓋体を開口のスライド方向の途中から装着する分だけ蓋体をスライドさせる距離が少なくなり、したがって収納部に収納されている棒状電池の倒れ量が少なくなり、棒状電池が誤った方向に装着されていたとしても棒状電池の負極が正極端子に接触しにくくなる。
【００１７】
本発明は、複数本の棒状電池を同方向となるよう収納部に収納して並列接続で用いられるよう構成された電池収納構造であって、正極端子に、電子機器の負荷に接続されている接点に接続する接触部が蓋体のスライド方向に延長して設けられていることを特徴としている。
【００１８】
上記構成において、複数本の棒状電池を収納部に正規の方向で収納して並列接続で用いることで、電力供給時間が延長する。
【００１９】
また、収納部に棒状電池が複数本収納されていても接触阻止手段により、誤った極と端子どうしの接触が阻止される。特に、複数本の棒状電池を並列接続で用い、正極端子を蓋体に設けてこれをスライドさせることで収納部を塞ぐようにした電池収納構造で、蓋体をスライドさせることで電子機器の負荷に接続される接触部を有する正極端子では、接触部を設けた分だけ正極端子そのものが大きくなる。
したがって、正極端子そのものが大きくなった分だけ棒状電池の負極が正極端子に接触し易くなる状態が想定されるが、接触阻止手段を設けているからこれによって棒状電池の負極と正極端子との接触が阻止される。
【００２０】
さらに、並列接続使用であれば、複数本の棒状電池のうち一本のみが正規の方向に装着されていれば、他の棒状電池は接触阻止手段により誤った極と端子どうしの接触が阻止されて通電せず、しかし正規の方向で装着された棒状電池からは電子機器に電力が供給されるから、電子機器が作動可能となる。
【００２１】
本発明の電池収納構造では、収納部に、該収納部の軸心方向に直交する方向に設けられて棒状電池をその長さ方向途中の外周面に当接して保持するための保持部が設けられていることを特徴としている。
【００２２】
上記構成において、棒状電池を収納部に収納した状態では、その長さ方向途中の外周面に保持部が当接することで、棒状電池が収納部の軸心に対して大きく倒れるのが防止されるから、棒状電池の負極が正極端子に接触しにくくなる。
【００２３】
本発明は、上記何れかの電池収納構造を備えていることを特徴とする電子機器である。
電子機器としてコンピュータ用マウス、デジタルカメラ、ナビゲーション装置等、棒状電池を収納部に装着して使用するものであれば、特にその種別を限定されるものではない。
そして、これらの電子機器では、収納部に棒状電池が複数本収納されていても接触阻止手段により、棒状電池の負極が正極端子に接触するのが阻止され、あるいは誤った極と端子どうしの接触が阻止されることになり、これにより、棒状電池の発熱や液漏れを防止し得る。
【発明の効果】
【００２４】
本発明によれば、棒状電池が誤った方向で収納部に収納され、また棒状電池の軸心と収納部の軸心とが一致しないよう棒状電池が収納部の軸心に対して倒れた際には、接触阻止手段によって、棒状電池の負極と正極端子との接触が阻止されるか、棒状電池の正極と負極端子との接触が阻止されることになり、これにより、棒状電池の発熱や液漏れを防止することができる。
【発明を実施するための最良の形態】
【００２５】
以下、本発明の実施形態に係る電子機器をコンピュータ用マウスを例に、その電池収納構造について説明する。
図１は本発明の実施形態を示すマウスの全体概略斜視図、図２は蓋体を取外してアルカリ乾電池を収納しようとする状態の斜視図、図３は蓋体を取外した状態の電池収納体の側面図、図４は電池収納体の内部構造を示す斜視図、図５は蓋体の斜視図、図６はマウスを構成する部材の一部を表した分解斜視図である。
【００２６】
これらの図に示すように、本発明の実施形態に係るマウス１は、一側に配置されて左右のクリック用操作部２，３を有するマウス本体４と、このマウス本体４の他側に設けられた棒状電池としてのアルカリ乾電池（以下単に「電池」という）５，６を径方向で並べて収納するための電池収納体７（箱状の本体に相当する）とを有する。
【００２７】
マウス１は、後述するように、電池収納体７に電池５，６を誤った方向で収納した際に、電池５，６の負極１１と正極端子４３とが接触するのを阻止するための接触阻止手段が設けられている。
【００２８】
なお、電池５，６は一般的なアルカリ乾電池であり、その胴体８は円柱状に形成されており、一端部を正極１０として突部１０ａが形成されており、他端部の負極１１は略平面に形成されている。
【００２９】
この電池収納体７は、その内部に複数本（図では二本）の電池５，６を収納可能な収納部（収納空間）１２が形成されている。収納部１２は奥部底壁１３、上壁１４、下壁１５、および両側壁２１，２２によって形成されており、奥部底壁１３に対向する部分（電池収納体７の一方）が矩形の開口１６となっている。
なお、電池５，６は開口１６から収納部１２に対して収納部１２の軸心方向Ａに挿抜される。さらに、このマウス１は、その電池収納体７には複数本の電池５，６はともに同方向、すなわち負極１１側から挿入して使用するよう構成されている。
【００３０】
収納部１２の奥部底壁１３にはコイルバネ状の負極端子１７，１７がマウス１の長手方向（後述のスライド方向に沿う方向）に、左右に並べて配置されている。
収納部１２を形成する電池収納体７の上壁１４、下壁１５にはリブ１８が所定個所に形成されている。
【００３１】
電池収納体７の上壁１４、下壁１５に、電池５，６の胴体８を端部側の外周面の途中に当接することで電池５，６の姿勢（収納部１２の軸心方向Ａに略沿う姿勢）を保持するための保持部２０が設けられている。保持部２０は収納部１２に対して可及的に開口１６に近い位置に配置されている。
この保持部２０は収納部１２の軸心方向Ａに直交する方向で収納部１２を横切るように突出しており、上壁１４、下壁１５に一体的に形成されている。
【００３２】
保持部２０は電池収納体７の上壁１４、下壁１５にそれぞれ形成されており、電池５，６の胴体８の曲率に応じた曲率で側壁２１，２２側に窪む凹部２３，２４が対で形成されている。電池５，６は凹部２３，２４に挿通させるようにして収納部１２に収納するもので、電池５，６を収納し易いように保持部２０の凹部２３，２４と電池５，６の胴体８との間には隙間が形成されるようになっている。
【００３３】
開口１６は、蓋体２５によって塞ぐよう構成されている。開口１６は平面視してＬ字形に形成されるよう側壁２１，２２の一方側の一部を切欠いた切欠空間２６が開口１６に連続して形成されている。すなわち蓋体２５は、この切欠空間２６を有する開口１６に相対するようＬ字形状に形成されている。
【００３４】
蓋体２５は、開口１６の外周である正面視して矩形の矩形端部２７にマウス１の長手方向にスライドさせるようにして装着するもので、電池収納体７の開口１６を塞ぐべく平板状に形成された平板部３０およびこの平板部３０に一体的に形成されて切欠空間２６を塞ぐ折曲げ部３１とから一体的に形成されている。
【００３５】
折曲げ部３１の端部には、長手方向に突出する第一差込み片３２，３３が上下対で形成されている。これら第一差込み片３２，３３は、切欠空間２６の端部で電池収納体７の切欠端面３４から切欠空間２６内方に位置ずれして形成された第一被差込み片３５，３６と切欠端面３４との間の隙間３７に、蓋体２５をスライドさせることで差込まれるものである。
【００３６】
折曲げ部３１に対する長手方向反対側の端部辺３８は、長手方向に対して傾斜するように傾斜している。この端部辺３８の奥部にはさらに長手方向に突出するよう第二差込み片４０が形成されている、この第二差込み片４０は、電池収納体７の矩形端部２７に形成した第二被差込み片４１に、蓋体２５をスライドさせることで差込まれる部分である。
【００３７】
正極端子４３は蓋体２５の平板部３０の内面（奥側面）に取付けられている。正極端子４３は、電極板４４と、この電極板４４に一体的に形成された隆起部４５とを有する。電極板４４は、平板部３０に一体的に形成された被押さえ部４６と、その両側の、隆起部４５を有する延長板部４７，４８とを備えている。
【００３８】
したがって、隆起部４５はマウス１の長手方向に離間して配置されており、その離間間隔は負極端子１７，１７の離間間隔に一致している。被押さえ部４６は、マウス１の長手方向中央に形成された押え片５０によって平板部３０に押圧されて固定されている。
【００３９】
隆起部４５は、電極板４４から突出する形状であれば特にその形状が特定されるものではないが、この実施形態では、隆起部４５は球面状に形成されている。すなわち隆起部４５の基端（外郭）は円形である。
【００４０】
一方の延長板部４７には、さらにマウス１の長手方向（蓋体２５のスライド方向）に延長した板状の接触部５１が一体的に形成されている。この接触部５１の端部は、第二差込み片４０の端部よりも長手方向に突出している。
【００４１】
蓋体２５の平板部３０には、電池５，６の正極１０、負極１１が誤った方向で収納部１２に装着された場合に、負極１１と正極端子４３とが接触する（電気的に接続する）ことを防止するための接触阻止片５２，５３が設けられている。
【００４２】
この接触阻止片５２，５３は、蓋体２５の上端部側から下側に向けて延長するよう蓋体２５に一体的に形成されており、接触阻止片５２，５３の長手方向中心と正極端子４３の隆起部４５の中心とが一致している。
接触阻止片５２，５３は正極端子４３の電極板４４から収納部１２の軸心方向Ａ奥側に位置ずれして、且つ電極板４４に平行に配置されている。つまり、接触阻止片５２，５３は正極端子４３の電極板４４に隙間をあけて配置されていることで、その分だけ、軸心方向Ａ奥側に配置されている。
【００４３】
接触阻止片５２，５３は、蓋体２５の装着状態において電池側（奥側）に位置する端面を阻止面５４としている。阻止面５４は、正極端子４３の隆起部４５先端よりも電池側にあって、電池５，６の負極１１の外周部の一部に当接する面である。
【００４４】
接触阻止片５２，５３は下辺側に上辺側に円弧状に窪む許容凹部５５が形成されている。この許容凹部５５は電池５，６の正極１０の突起の胴部に沿う部分で、正極１０の突起の先端が隆起部４５に接触することを許容するように形成された部分である。
許容凹部５５の円弧形状は、隆起部４５の基端と同一曲率であり、許容凹部５５の円弧と軸心方向Ａで一致した位置に配置されている。
【００４５】
このような構成により、阻止面５４は負極１１の外周部の一部に当接する阻止平面５６と、電池５，６の正極１０の突部１０ａが正極端子４３に接触するのを許容し、阻止平面５６から電池５，６が誤った方向で装着された状態を想定したときに、電池５，６の負極１１の外周部に沿う方向に廻りこむよう阻止平面５６と同一平面内で延長された延長平面５７とを有している。
【００４６】
阻止平面５６は隆起部４５の径よりも大きな長手方向幅に形成されており、延長平面５７は、延長板部４７，４８と平行で、隆起部４５の基端に沿うように隆起部４５の基端の外郭に沿い、隆起部４５の半径程度まで廻りこんでいる。
阻止面５４から隆起部４５の先端までの距離は、電池５，６の正極１０の突部１０ａの高さと同等か、わずかに小さく設定されている。
【００４７】
蓋体２５は電池収納体７の開口１６の矩形端部２７にスライド方向の途中から装着されるものである。
すなわち、開口１６の矩形端部２７のスライド方向途中からのみ蓋体２５の装着を許容する装着手段５８が電池収納体７の開口１６の矩形端部２７と蓋体２５とに設けられている。
【００４８】
電池収納体７の装着手段５８は、下側の矩形端部２７に設けられた装着阻止部材６０である。この装着阻止部材６０は、開口１６の矩形端部２７の隅部に配置されており、矩形端部２７に一体的に形成されたリブ状のものである。
【００４９】
この装着阻止部材６０は、矩形端部２７の隅部に長手方向に沿うよう設けられている。装着阻止部材６０は、矩形端部２７の端面から蓋体２５の厚み分だけ奥側に配置されている。そして、装着阻止部材６０の前平面が装着阻止面５４ａとされており、この装着阻止面５４ａは蓋体２５の軸心方向Ａの蓋掛かりを兼用している。
なお、装着阻止部材６０の一側端部に軸心方向Ａに沿う長手方向側蓋掛かり６１が形成されている。長手方向側蓋掛かり６１は、矩形端部２７の端面から蓋体２５の折曲げ部３１の厚み分だけ奥側に配置されている。
【００５０】
装着阻止部材６０の長手方向他側方向への延長上に、装着阻止部材６０とは長手方向に所定距離だけ離間して軸心方向側蓋掛かり６２が設けられている。この軸心方向側蓋掛かり６２も矩形端部２７の端面から蓋体２５の平板部３０の厚み分だけ奥側に配置されている。
【００５１】
蓋体２５側の装着手段５８は、蓋体２５の平板部３０の内面下端部に設けられた挿入片６３である。この挿入片６３は、平板部３０の長手方向中心で平板部３０に一体的に形成されており、且つ軸心方向Ａに突出するよう形成されている。
【００５２】
挿入片６３の長手方向長さは、装着阻止部材６０と軸心方向側蓋掛かり６２との離間距離に比べて小さく設定されており、蓋体２５を開口１６の長手方向途中位置からスライドさせて開口１６の矩形端部２７に装着した際に、挿入片６３と軸心方向側蓋掛かり６２とが長手方向で当接するように設定されている。
【００５３】
本発明の実施形態では、前記接触阻止手段は、保持部２０、接触阻止片５２，５３、および装着手段５８から構成されてなる。
【００５４】
上記構成のマウス１ではその電池収納体７の収納部１２に複数本の電池５，６を電池収納体７の開口１６から挿入することが可能であり、また開口１６から取出すことが可能となっている。すなわち、蓋体２５を取外した状態で電池５，６を、それぞれ負極１１を奥側にして開口１６から挿入する。このとき、電池５，６はその胴体８を保持部２０の凹部２３，２４に挿通するようにして収納部１２に装着するようにすると、電池５，６はその胴体８が凹部２３，２４に案内されて電池５，６を円滑に収納部１２に装着することが可能である。
【００５５】
なお、電池５，６の負極１１を奥側にして収納部１２に装着すると、負極１１が負極端子１７に接触することになる。また、仮に電池５，６の正極１０を奥側にして収納部１２に挿入した場合でも、正極１０が負極端子１７に接触することになる。
【００５６】
電池５，６を収納部１２に装着した後に、蓋体２５を電池収納体７の開口１６の矩形端部２７に装着する場合を説明する。
蓋体２５において、折曲げ部３１を矩形端部２７の長手方向一方側に位置させ、第二差込み片４０を長手方向他方側に位置させ、正極端子４３が奥側になるようにして開口１６に位置合わせする。このとき、挿入片６３が装着阻止部材６０に軸心方向Ａで対向させるようにして蓋体２５を開口１６側に移動させても、挿入片６３が装着阻止部材６０に当って蓋体２５は矩形端部２７に装着することはできない。
【００５７】
そこで、挿入片６３を装着阻止部材６０と軸心方向側蓋掛かり６２との間の隙間に挿入するようにすると、蓋体２５の平板部３０の内面外周部が装着阻止面５４ａに軸心方向Ａで当接し、そのまま蓋体２５を長手方向他方側にスライドさせる。
そうすると、蓋体２５が装着阻止部材６０、軸心方向側蓋掛かり６２に案内されて、第一差込み片３２，３３が第一被差込み片３５，３６に差込まれ、第二差込み片４０が第二被差込み片４１に差込まれ、また挿入片６３と軸心方向側蓋掛かり６２とが長手方向で当接して蓋体２５が矩形端部２７に装着される。
【００５８】
なお、挿入片６３を装着阻止部材６０と軸心方向側蓋掛かり６２との間の隙間に挿入するようにすると、コイルバネ状の負極端子１７により開口１６側に付勢されている電池５，６の正極１０の突部１０ａが正極端子４３の隆起部４５に位置ずれした状態で当接するから、負極端子１７の弾性に抗して蓋体２５を奥側に向けて押圧するようにして、上記のように蓋体２５を長手方向他方側にスライドさせる。
【００５９】
そして、第一差込み片３２，３３が第一被差込み片３５，３６に差込まれ、第二差込み片４０が第二被差込み片４１に差込まれ、また挿入片６３と軸心方向側蓋掛かり６２とが長手方向で当接するまで蓋体２５をスライドさせた時点で、電池５，６の正極１０の突部１０ａが隆起部４５と正面どうしで対向接触した状態となる。
【００６０】
また、接触阻止片５２，５３はその下辺に、上方に向けて円弧状に窪む許容凹部５５が形成されており、阻止面５４から隆起部４５の先端までの距離は、電池５，６の正極１０の突部１０ａの高さと同等か、わずかに小さく設定されているから、正極１０の突部１０ａは接触阻止片５２，５３があっても隆起部４５に接触することができる。
【００６１】
上記のように、電池５，６をそれぞれ同方向で正規の方向に装着することにより、電池５，６は正極端子４３および負極端子１７を介して並列接続されて、接触部５１から電力が供給されてマウス１に搭載された電子部品が駆動可能となる。
【００６２】
ところで、電池５，６の一方または双方を、収納部１２に誤った方向で挿入してしまう場合が考えられる。以下に、電池５，６の一方または双方を誤った方向に挿入したままの状態で蓋体２５を閉じようとした場合の説明をする。
【００６３】
誤った方向ということは、電池５，６の正極１０が収納部１２の奥側に位置して正極１０が負極端子１７に接触し、電池５，６の負極１１が開口１６側に位置するよう装着された場合である。
【００６４】
この状態であっても、負極端子１７はコイルバネ状であって押圧・解除によって伸縮し、また電池５，６の長さは変わらないことから、蓋体２５を矩形端部２７に装着して開口１６を塞ぐことが可能である。蓋体２５を矩形端部２７に装着するには、上記と同様にして行う。
【００６５】
ところで、このマウス１には保持部２０、接触阻止片５２，５３、および装着手段５８から構成されてなる接触阻止手段が設けられているから、電池５，６を誤った方向で収納部１２に収納して蓋体２５を装着したとしても、電池５，６の負極１１は正極端子４３に接触することがない。
【００６６】
具体的には、保持部２０が電池５，６の倒れをその胴体８に当接して防止している。
また、蓋体２５を装着するには、上記のように電池収納体７の開口１６の矩形端部２７にスライド方向の途中から装着することになるから、開口１６の矩形端部２７の長手方向一方側からスライドさせて装着する場合に比べてスライド距離が極めて短くなる。つまり、スライド距離が短くなる分だけ、蓋体２５側に接触した電池５，６の倒れ量が小さくなる。
さらに、電池５，６の負極１１と正極端子４３との間には接触阻止片５２，５３が介在しており、電池５，６の負極１１と正極端子４３とが接触するのを阻止している。
【００６７】
しかも接触阻止片５２，５３の阻止平面５６は隆起部４５の径よりも大きな長手方向幅に形成されており、延長平面５７は、延長板部４７，４８と平行で、隆起部４５の基端に沿うように隆起部４５の基端の外郭に沿い、隆起部４５の半径程度まで廻りこんだ構成となっている。よって、仮に電池５，６が大きく倒れたとしても、負極１１の外周部は、特に延長平面５７に当ることになり、負極１１と正極端子４３が接触するのを確実に阻止することができる。よって、短絡状態を回避して電池５，６の発熱や液漏れを防止することができる。
【００６８】
さらに、電池５，６をそれぞれ同方向で正規の方向に装着することにより、電池５，６は正極端子４３および負極端子１７を介して並列接続されるから、二本の電池５，６のうち少なくとも一本が正規の方向に装着されていれば、その電池からマウス１の電子部品に電力が供給されるから、マウス１を作動させることが可能である。
特に近年、小電力（例えば１．５V）でも作動するICチップが開発されており、このような電子部品をマウス１では、二本の電池５，６のうち少なくとも一本が正規の方向に装着されていれば、逆方向に装着された電池は正極端子４３に非接触であるから、正規の方向に装着された電池からマウス１の電子部品に電力が供給されて、マウス１を作動させることが可能である。なお、二本の電池５，６を用いているのは、電力の供給時間を長く確保するためである。
【００６９】
上記実施形態では電池は二本を並べて収納部１２に収納する場合を示したがこれに限定されるものではない。すなわち収納部は電池を一本だけ収納できるスペースを形成しているものであってもよいし、三本以上並べて収納することができるスペースを有している構成であってもよい。
電池が一本の場合は収納部の長手方向長さが短くなり、電池が三本以上の場合では収納部の長手方向長さが長くなるが、それらの長さに応じて接触阻止手段の各部材の長さ、個数を適応させて設けることで、電池を誤った方向で収納部に収納して蓋体を装着したとしても、電池の負極と正極端子との接触を阻止することができる。
【００７０】
上記実施形態では、電池５，６の負極１１と正極端子４３とが接続される状態を阻止するよう構成したが、これに限定されるものではない。すなわち、電池５，６の正極１０が負極端子１７に接続されるのを阻止するよう構成することも考えられる。
【００７１】
この場合、例えば図７に示すように、蓋体２５に設けた正極端子４３を、電池５，６を収納部１２の奥側に付勢するよう弾性体（コイルバネに限定されず、板バネ形状であってもよい）から形成し、収納部１２の奥側に板状の負極端子１７を設ける。そして負極端子１７において、その長手方向中心に孔６５を形成して、この孔６５に、電池５，６を誤った方向で収納部１２に挿入した際に電池５，６の正極１０が当接する、接触阻止手段としての絶縁体６６を充填させておく。
【００７２】
例えばこの絶縁体６６は、弾性の高い合成ゴム等から形成されており、孔６５に充填される当接部６７と、当接部６７の反電池５，６側の板状の固定部６８とから一体に形成されている。当接部６７は電池５，６側が反電池５，６側に比べて大径となる円錐台形状に形成されており、当接部６７の電池５，６側である前面７０は電池５，６側に突出するよう湾曲した湾曲面とされている。
【００７３】
当接部６７と孔６５の周面との間には、当接部６７が電池５，６の電極で押圧されて弾性変形した際に埋められる隙間７１が設定されている。
固定部６８は、負極端子１７の裏面と電池収納体７との間で挟持されるようにしておく。
【００７４】
この構成によれば、電池５，６を誤った方向で収納部１２に挿入して蓋体２５で電池収納体７の開口１６を閉じた場合、正極端子４３の弾性によって電池５，６が収納部１２の奥側に向けて押圧され、その押圧力によって電池５，６の正極１０が当接部６７の前面７０に当接してこれを押圧することで正極１０の押圧面の形状に応じて前面７０がくぼむよう変形して電池５，６を位置ずれしにくくする。また、この変形によって当接部６７が隙間７１を埋めるよう弾性変形する。
【００７５】
電池５，６が正規の方向で収納部１２に挿入された場合には、電池５，６の負極１１が当接部６７の前面７０に当接してこれを押圧することで前面７０が平坦面となるよう弾性変形し、電池５，６の負極１１が負極端子１７に接触する。これによりマウス１の電子部品に電力を供給できるようになる。他の構成は、図１ないし図６に示した実施形態と同様である。
【図面の簡単な説明】
【００７６】
【図１】本発明の実施形態を示すマウスの全体概略斜視図
【図２】同じく蓋体を取外して電池を収納しようとする状態の斜視図
【図３】同じく蓋体を取外した状態の電池収納体の側面図
【図４】同じく電池収納体の内部構造を示す斜視図
【図５】同じく蓋体の斜視図
【図６】同じくマウスを構成する部材の一部を表した分解斜視図
【図７】別の実施形態を示す電池収納構造の概略断面図
【符号の説明】
【００７７】
１…マウス、４…マウス本体、５，６…電池、７…電池収納体、８…胴体、１０…正極、１０ａ…突部、１１…負極、１２…収納部、１３…奥部底壁、１６…開口、１７，１７…負極端子、２０…保持部、２１，２２…側壁、２３，２４…凹部、２５…蓋体、２７…矩形端部、３０…平板部、３４…切欠端面、４３…正極端子、４４…電極板、４５…隆起部、４７，４８…延長板部、５２，５３…接触阻止片、５４…阻止面、５４ａ…装着阻止面、５５…許容凹部、５６…阻止平面、５７…延長平面、５８…装着手段、６０…装着阻止部材、６３…挿入片、Ａ…軸心方向
【図１】
2008277070.tif 000003
【図２】
2008277070.tif 000004
【図３】
2008277070.tif 000005
【図４】
2008277070.tif 000006
【図５】
2008277070.tif 000007
【図６】
2008277070.tif 000008
【図７】
2008277070.tif 000009